(57)【要約】【課題】入力される映像の途絶えや変更が生じた場合における、映像表示装置へ出力する映像の乱れを防ぐことを可能とする。【解決手段】実施形態の映像出力装置は、映像の入力を受け付ける複数の映像入力手段と、複数の映像入力手段より入力された複数の映像を継ぎ合わせた一つの映像を出力する映像出力手段と、複数の映像入力手段の中で映像の途絶え又は映像フォーマットの変更のあった映像入力手段を検出する検出手段と、検出手段の検出結果をもとに映像出力手段に対して、複数の映像を継ぎ合わせた一つの映像の中の、途絶え又は映像フォーマットの変更のあった映像入力手段からの映像を、所定の映像に書き換えさせる制御手段とを備える。【選択図】図１
2013207770.tif 000002
【特許請求の範囲】
【請求項１】
映像の入力を受け付ける複数の映像入力手段と、
前記複数の映像入力手段より入力された複数の映像を継ぎ合わせた一つの映像を出力する映像出力手段と、
前記複数の映像入力手段の中で映像の途絶え又は映像フォーマットの変更のあった映像入力手段を検出する検出手段と、
前記検出手段の検出結果をもとに前記映像出力手段に対して、前記複数の映像を継ぎ合わせた一つの映像の中の、前記途絶え又は映像フォーマットの変更のあった映像入力手段からの映像を、所定の映像に置き換えさせる制御手段と、
を備える映像出力装置。
【請求項２】
前記映像入力手段は、接続された所定のケーブルを介して映像の入力を受け付け、
前記検出手段は、前記ケーブルの接続の有無を検出し、
前記制御手段は前記映像出力手段に対して、前記複数の映像を継ぎ合わせた一つの映像の中の、前記ケーブルの接続が無くなった映像入力手段からの映像を、所定の映像に置き換えさせる、
請求項１に記載の映像出力装置。
【請求項３】
前記検出手段は、前記映像入力手段より入力された映像に含まれる、当該映像の変更を示す情報の有無をもとに、映像フォーマットの変更のあった映像入力手段を検出する、
請求項１又は２に記載の映像出力装置。
【請求項４】
前記制御手段は前記映像出力手段に対して、前記検出手段の検出結果をもとに、前記途絶え又は映像フォーマットの変更のあった映像入力手段からの映像を、前記途絶え又は変更の無い映像入力手段からの映像に置き換えさせる、
請求項１乃至３のいずれか一項に記載の映像出力装置。
【請求項５】
前記制御手段は前記映像出力手段に対して、前記複数の映像を継ぎ合わせた一つの映像の中の、前記途絶え又は映像フォーマットの変更のあった映像入力手段からの映像の領域側に、当該映像と隣接する映像を移動させるよう制御する、
請求項１乃至３のいずれか一項に記載の映像出力装置。
【請求項６】
前記入力された映像を拡大する映像拡大手段を更に備え、
前記制御手段は前記映像出力手段に対して、前記複数の映像を継ぎ合わせた一つの映像の中の、前記途絶え又は映像フォーマットの変更のあった映像入力手段からの映像と隣接する映像を拡大させ、当該映像の拡大前の領域と、前記途絶え又は映像フォーマットの変更のあった映像の領域とを含めた領域を、前記拡大された映像に置き換えさせる、
請求項１乃至３のいずれか一項に記載の映像出力装置。
【請求項７】
前記制御手段は前記映像出力手段に対して、前記複数の映像入力手段より入力された複数の映像が互いに同期した映像である場合、前記複数の映像を継ぎ合わせた一つの映像の中の、前記途絶え又は映像フォーマットの変更の無い映像入力手段からの映像をそのままに、前記途絶え又は映像フォーマットの変更のあった映像入力手段からの映像を単色映像に書き換えさせる、
請求項１乃至６のいずれか一項に記載の映像出力装置。
【請求項８】
複数画面相当の画面サイズの映像の入力を受け付ける映像入力手段と、
前記複数画面相当の画面サイズの映像を一つの映像として出力する映像出力手段と、
前記複数画面相当の画面サイズの映像の途絶え又は映像フォーマットの変更を検出する検出手段と、
前記複数画面相当の画面サイズの映像の途絶え又は映像フォーマットの変更が検出された場合に、当該映像を所定の映像に書き換えさせる制御手段と、
を備える映像出力装置。
【請求項９】
映像の入力を受け付ける複数の映像入力手段、前記複数の映像入力手段より入力された複数の映像を継ぎ合わせた一つの映像を出力する映像出力手段を有する映像出力装置の映像出力方法であって、
検出手段が、前記複数の映像入力手段の中で映像の途絶え又は映像フォーマットの変更のあった映像入力手段を検出するステップと、
制御手段が、前記検出手段の検出結果をもとに前記映像出力手段に対して、前記複数の映像を継ぎ合わせた一つの映像の中の、前記途絶え又は映像フォーマットの変更のあった映像入力手段からの映像を、所定の映像に書き換えさせるステップと、
を含む映像出力方法。
【発明の詳細な説明】
【技術分野】
【０００１】
本発明の実施形態は、映像出力装置及び映像出力方法に関する。
【背景技術】
【０００２】
従来、レコーダー等のソース機器から入力された映像をＬＣＤ（Liquid  Crystal  Display）等の映像表示装置へ出力するセットトップボックス等の映像出力装置が知られている。この映像出力装置は、ＨＤＭＩ（High-Definition  Multimedia  Interface）規格等の所定のケーブルを介してソース機器と接続され、このケーブルを介した接続を検出した場合にそのケーブルを介して入力される映像を映像表示装置へ出力している。
【先行技術文献】
【特許文献】
【０００３】
【特許文献１】特開２００８−４８３７０号公報
【発明の概要】
【発明が解決しようとする課題】
【０００４】
しかしながら、上述した従来技術においては、所定のケーブルを介した接続が検出されて、そのケーブルを介して入力される映像を映像表示装置へ出力している際に、ケーブルの抜けや映像の切り替えなどにより、入力される映像の途絶えや変更が生じた場合、映像表示装置へ出力する映像に乱れが生じることがあった。
【０００５】
本発明は、上記に鑑みてなされたものであって、入力される映像の途絶えや変更が生じた場合における、映像表示装置へ出力する映像の乱れを防ぐことを可能とする映像出力装置及び映像出力方法を提供することを目的とする。
【課題を解決するための手段】
【０００６】
上述した課題を解決し、目的を達成するために、実施形態の映像出力装置は、映像の入力を受け付ける複数の映像入力手段と、前記複数の映像入力手段より入力された複数の映像を継ぎ合わせた一つの映像を出力する映像出力手段と、前記複数の映像入力手段の中で映像の途絶え又は映像フォーマットの変更のあった映像入力手段を検出する検出手段と、前記検出手段の検出結果をもとに前記映像出力手段に対して、前記複数の映像を継ぎ合わせた一つの映像の中の、前記途絶え又は映像フォーマットの変更のあった映像入力手段からの映像を、所定の映像に置き換えさせる制御手段と、を備える。
【０００７】
また、実施形態の映像出力装置は、複数画面相当の画面サイズの映像の入力を受け付ける映像入力手段と、前記複数画面相当の画面サイズの映像を一つの映像として出力する映像出力手段と、前記複数画面相当の画面サイズの映像の途絶え又は映像フォーマットの変更を検出する検出手段と、前記複数画面相当の画面サイズの映像の途絶え又は映像フォーマットの変更が検出された場合に、当該映像を所定の映像に書き換えさせる制御手段と、を備える。
【０００８】
また、実施形態の映像出力方法は、映像の入力を受け付ける複数の映像入力手段、前記複数の映像入力手段より入力された複数の映像を継ぎ合わせた一つの映像を出力する映像出力手段を有する映像出力装置の映像出力方法であって、検出手段が、前記複数の映像入力手段の中で映像の途絶え又は映像フォーマットの変更のあった映像入力手段を検出するステップと、制御手段が、前記検出手段の検出結果をもとに前記映像出力手段に対して、前記複数の映像を継ぎ合わせた一つの映像の中の、前記途絶え又は映像フォーマットの変更のあった映像入力手段からの映像を、所定の映像に書き換えさせるステップと、を含む。
【図面の簡単な説明】
【０００９】
【図１】図１は、第１の実施形態にかかる映像出力装置の一例を示すブロック図である。
【図２】図２は、第１の実施形態にかかる映像出力装置の動作の一例を示すフローチャートである。
【図３】図３は、映像の書き換えを例示する概念図である。
【図４】図４は、第２の実施形態にかかる映像出力装置の動作の一例を示すフローチャートである。
【図５】図５は、第３の実施形態にかかる映像出力装置の動作の一例を示すフローチャートである。
【図６】図６は、第４の実施形態にかかる映像出力装置の動作の一例を示すフローチャートである。
【図７】図７は、映像の書き換えを例示する概念図である。
【図８】図８は、第５の実施形態にかかる映像出力装置の動作の一例を示すフローチャートである。
【図９】図９は、映像の書き換えを例示する概念図である。
【図１０】図１０は、映像の書き換えを例示する概念図である。
【図１１】図１１は、第６の実施形態にかかる映像出力装置の一例を示すブロック図である。
【図１２】図１２は、第６の実施形態にかかる映像出力装置の動作の一例を示すフローチャートである。
【図１３】図１３は、映像の書き換えを例示する概念図である。
【発明を実施するための形態】
【００１０】
以下、添付図面を参照して映像出力装置及び映像出力方法の実施形態を詳細に説明する。なお、本実施形態では映像出力装置として、レコーダー等のソース機器から入力された映像をＬＣＤ等の映像表示装置へ出力するセットトップボックスを例示するが、映像出力装置としての機能がソース機器側や映像表示装置側に内蔵される構成であってもよいことは言うまでもないことである。
【００１１】
［第１の実施形態］
図１は、第１の実施形態にかかる映像出力装置１の一例を示すブロック図である。図１に示すように、映像出力装置１は、ＨＤＭＩやＤｉｓｐｌａｙＰｏｒｔなどの外部入力（映像）を受信する複数の映像受信部１１０〜１１３を備えており、映像受信部１１０〜１１３より入力される複数の映像を継ぎ合わせて一つの映像として映像表示装置２に出力する機能を有している。例えば、映像受信部１１０〜１１３よりフルＨＤ（１９２０×１０８０）の画面サイズの４つの映像が入力される場合は、それらの４つの映像を右上、左上、右下、左下に配して継ぎ合わせたＱＦＨＤ（３８４０×２１６０）サイズの一つの映像を映像表示装置２に出力する。
【００１２】
具体的には、映像出力装置１は、複数の映像受信部１１０〜１１３と、映像受信部１１０〜１１３より入力される複数の映像や制御信号を制御部１３０及び映像出力部１４０に振り分ける映像入力部１２０、映像出力装置１の動作を中央制御する制御部１３０、映像入力部１２０より振り分けられた映像を映像表示装置２に出力する映像出力部１４０を備える。映像表示装置２は、ＬＣＤ等などであり、本実施形態ではＱＦＨＤ（３８４０×２１６０）サイズの映像を表示する表示パネルを有するものとする。
【００１３】
映像受信部１１０〜１１３は、ＨＤＭＩやＤｉｓｐｌａｙＰｏｒｔ等の所定の規格に従った通信ケーブル（以下、ケーブルと呼ぶ）を接続する通信ポート（図示しない）を有している。映像受信部１１０〜１１３は、通信ポートにより接続されたケーブルを介し、レコーダー等のソース機器から入力された映像を受け付ける。
【００１４】
ここで、映像受信部１１０〜１１３が受け付ける映像は、種々の画面サイズのものであってよいが、本実施形態ではフルＨＤ（１９２０×１０８０）の画面サイズとする。また、映像受信部１１０〜１１３より入力される複数のフルＨＤの映像を継ぎ合わせてＱＦＨＤの一つの映像とする場合、映像受信部１１０から入力される映像は左上に、映像受信部１１１から入力される映像は右上に、映像受信部１１２から入力される映像は左下に、映像受信部１１３から入力される映像は右下に配置して継ぎ合わせるものとする。なお、上述した映像の画面サイズ、入力される映像の数、及び入力される複数の映像を継ぎ合わせて一つの映像とする場合の配置例などについては一例であり、適宜変更してよい。
【００１５】
映像入力部１２０は、映像受信部１１０〜１１３から入力される映像や制御信号を分離し、映像受信部１１０〜１１３から入力される映像を映像出力部１４０へ出力し、映像受信部１１０〜１１３から入力される制御信号を制御部１３０へ出力する。
【００１６】
また、映像入力部１２０は、映像受信部１１０〜１１３から入力される映像や制御信号等を監視し、映像の途絶え又は映像フォーマットの変更のある映像受信部１１０〜１１３を検出する。この映像入力部１２０の検出結果は制御部１３０に通知される。具体的には、映像入力部１２０は、映像受信部１１０〜１１３からのケーブル抜け検知信号（例えばＨＤＭＩの場合はＨｏｔ  Ｐｌｕｇ  Ｄｅｔｅｃｔ信号に相当）の値の変化を検出することで、映像受信部１１０〜１１３において接続されたケーブルが抜けて映像が途絶えたことを検出する。また、映像入力部１２０は、映像受信部１１０〜１１３からの映像とともに、映像フォーマット変更（例えば解像度、色情報、フレームレートなどの変更）や無信号などが発生した場合に通知される割り込み信号を検出することで、映像の変更や途絶えがある映像受信部１１０〜１１３を検出する。
【００１７】
制御部１３０は、ＣＰＵ（Central  Processing  Unit）、ＲＯＭ（Read  Only  Memory）、ＲＡＭ（Random  Access  Memory）などを有し（いずれも図示しない）、ＣＰＵがＲＯＭに記憶されたプログラムをＲＡＭに展開して順次実行することで、映像出力装置１の動作を中央制御する。具体的には、制御部１３０は、映像受信部１１０〜１１３より入力された複数の映像を映像出力部１４０が継ぎ合わせて一つの映像として映像表示装置２に出力する際の動作を制御する。例えば、制御部１３０は、映像入力部１２０の検出結果をもとに、映像受信部１１０〜１１３より入力された複数の映像を映像出力部１４０が継ぎ合わせた一つの映像の中の、途絶え又は変更のある映像受信部からの映像を、所定の映像に書き換えさせるように制御する（詳細は後述する）。
【００１８】
映像出力部１４０は、映像受信部１１０〜１１３より入力された複数の映像を継ぎ合わせて一つの映像を生成し、その生成した映像を映像表示装置２へ出力する。具体的には、映像受信部１１０から入力されるフルＨＤの映像は左上に、映像受信部１１１から入力されるフルＨＤの映像は右上に、映像受信部１１２から入力されるフルＨＤの映像は左下に、映像受信部１１３から入力されるフルＨＤの映像は右下に配置して継ぎ合わせて一つのＱＦＨＤの映像を生成し、その生成したＱＦＨＤの映像を映像表示装置２へ出力する。
【００１９】
次に、制御部１３０の制御の下で実行される映像出力装置１の動作について説明する。図２は、第１の実施形態にかかる映像出力装置１の動作の一例を示すフローチャートである。この図２に示すフローチャートは、映像出力部１４０が映像受信部１１０〜１１３より入力された複数の映像を継ぎ合わせて一つの映像を生成し、その生成した映像を映像表示装置２へ出力している際に、制御部１３０により実行される動作を示している。
【００２０】
図２に示すように、処理が開始されると、制御部１３０は、映像入力部１２０の検出結果をもとに、映像受信部１１０〜１１３の中のいずれかで映像入力のケーブルが抜けたか否かを判定する（Ｓ１１）。具体的には、映像入力部１２０は、映像受信部１１０〜１１３からのケーブル抜け検知信号（例えばＨＤＭＩの場合はＨｏｔ  Ｐｌｕｇ  Ｄｅｔｅｃｔ信号に相当）の値の変化を検出することで、映像受信部１１０〜１１３において接続されたケーブルが抜けたか否かを検出する。この検出結果を受けて、制御部１３０は、映像受信部１１０〜１１３の中のいずれかで映像入力のケーブルが抜けたか否かを判定している。
【００２１】
ケーブルの抜けが判定されない場合（Ｓ１１：ＮＯ）は処理の開始へリターンする。したがって、映像受信部１１０〜１１３のいずれかでケーブル抜けがない場合は、映像受信部１１０〜１１３より入力された複数の映像を継ぎ合わせて一つの映像を生成し、その生成した映像を映像表示装置２へ出力する処理が継続されることとなる。
【００２２】
ケーブルの抜けが判定された場合（Ｓ１１：ＹＥＳ）、映像入力部１２０から制御部１３０に対して、映像受信部１１０〜１１３の中でケーブルの抜かれている箇所が通知される（Ｓ１２）。この通知を受けて、制御部１３０は、映像出力部１４０に対し、映像受信部１１０〜１１３の中でケーブルの抜かれている箇所に対して単色画像（例えば黒画像）に切り替える制御を行う（Ｓ１３）。具体的には、制御部１３０は、映像受信部１１０〜１１３より入力された複数の映像を継ぎ合わせた一つの映像の中の、ケーブルの抜かれている映像受信部からの映像部分について、単色画像で上書きする命令を映像出力部１４０に対して出力する。
【００２３】
次いで、映像出力部１４０は、映像受信部１１０〜１１３より入力された複数の映像を継ぎ合わせた一つの映像の中の、制御部１３０から命令された箇所、すなわちケーブルの抜かれている映像受信部からの映像部分について、単色画像で上書きして映像表示装置２に出力し（Ｓ１４）、処理の開始へリターンする。
【００２４】
図３は、映像の書き換えを例示する概念図である。図３に示すように、映像出力部１４０より出力される出力映像Ｇは、映像受信部１１０より入力される映像Ｇ１を左上に、映像受信部１１１より入力される映像Ｇ２を右上に、映像受信部１１２より入力される映像Ｇ３を左下に、映像受信部１１３より入力される映像Ｇ４を右下に配して継ぎ合わせた映像である。ここで、映像受信部１１３のケーブルが抜かれた場合、出力映像Ｇにおける映像Ｇ１、Ｇ２、Ｇ３はそのままに、映像Ｇ４を単色画像で上書きする。このように、ケーブルが抜かれることで途絶えてしまった映像Ｇ４を単色画像で上書きすることで、出力映像Ｇにおいて映像Ｇ４部分に生じる映像乱れ（例えば映像の途絶に伴うノイズ映像の表示）を防止できる。
【００２５】
［第２の実施形態］
次に、第２の実施形態として、映像受信部１１０〜１１３より入力された複数の映像を継ぎ合わせた一つの映像を出力する際に、いずれかの映像受信部１１０〜１１３より入力された映像の変更に伴って生じる映像乱れを防止する場合を例示する。映像の変更に伴って生じる映像乱れとは、映像フォーマット変更や無信号などが発生した際に、変更中の過渡期や無信号よって生じるノイズ映像などに起因するものである。なお、映像出力装置１の構成などの第１の実施形態と同じ部分については説明を省略し、以下では、制御部１３０の制御の下で実行される、第２の実施形態にかかる映像出力装置１の動作について説明する。
【００２６】
図４は、第２の実施形態にかかる映像出力装置１の動作の一例を示すフローチャートである。この図４に示すフローチャートは、図２のフローチャートと同様、映像出力部１４０が映像受信部１１０〜１１３より入力された複数の映像を継ぎ合わせて一つの映像を生成し、その生成した映像を映像表示装置２へ出力している際に、制御部１３０により実行される動作を示している。
【００２７】
図４に示すように、処理が開始されると、制御部１３０は、映像入力部１２０の検出結果をもとに、映像受信部１１０〜１１３の中のいずれかで映像変更の割り込み信号が有効であるか否かを判定する（Ｓ２１）。
【００２８】
割り込み信号が有効でない場合（Ｓ２１：ＮＯ）は処理の開始へリターンする。したがって、映像受信部１１０〜１１３の中のいずれかで映像変更がない場合は、映像受信部１１０〜１１３より入力された複数の映像を継ぎ合わせて一つの映像を生成し、その生成した映像を映像表示装置２へ出力する処理が継続されることとなる。
【００２９】
割り込み信号が有効である場合（Ｓ２１：ＹＥＳ）、映像入力部１２０から制御部１３０に対して、映像受信部１１０〜１１３の中で割り込み信号が有効な箇所が通知される（Ｓ２２）。この通知を受けて、制御部１３０は、映像出力部１４０に対し、映像受信部１１０〜１１３の中で割り込み信号が有効な箇所に対して単色画像（例えば黒画像）に切り替える制御を行う（Ｓ２３）。具体的には、制御部１３０は、映像受信部１１０〜１１３より入力された複数の映像を継ぎ合わせた一つの映像の中の、割り込み信号が有効な映像受信部からの映像部分について、単色画像で上書きする命令を映像出力部１４０に対して出力する。
【００３０】
次いで、映像出力部１４０は、映像受信部１１０〜１１３より入力された複数の映像を継ぎ合わせた一つの映像の中の、制御部１３０から命令された箇所、すなわち割り込み信号が有効であり、映像の変更がある映像受信部からの映像部分について、単色画像で上書きして映像表示装置２に出力し（Ｓ２４）、処理の開始へリターンする。このように、出力映像Ｇの中で変更のある映像Ｇ４（図３参照）を単色画像で上書きすることで、映像の変更に伴って生じる映像乱れを防止できる。
【００３１】
なお、Ｓ２４において単色画像で上書きする期間は、予めメモリなどに設定された所定期間、例えば映像変更の過渡期としてノイズ映像が生じやすい数ｍｓｅｃ程度の期間であってよい。その単色画像で上書きする期間を過ぎた場合、制御部１３０は、単色画像での上書きを解除する命令を映像出力部１４０に出力し、変更後の映像を出力するようにしてよい。
【００３２】
［第３の実施形態］
映像表示装置２へ出力する、フルＨＤの４倍のサイズであるＱＦＨＤサイズの映像、すなわちフルＨＤを基準とした場合に複数画面相当の画面サイズとなる映像は、ＨＤＭＩ規格に従って映像受信部１１０〜１１３のいずれか１つからの入力が可能である。したがって、第３の実施形態では、ＱＦＨＤサイズの１つの映像が映像受信部１１０〜１１３のいずれか１つより入力され、そのＱＦＨＤサイズの映像をそのまま映像表示装置２へ出力する場合を例示する。なお、映像出力装置１の構成などの第１の実施形態と同じ部分については説明を省略し、以下では、制御部１３０の制御の下で実行される、第３の実施形態にかかる映像出力装置１の動作について説明する。
【００３３】
図５は、第３の実施形態にかかる映像出力装置の動作の一例を示すフローチャートである。図５に示すように、処理が開始された際には、ＱＦＨＤ映像を映像受信部１１０〜１１３のいずれか１つより受信し、その受信したＱＦＨＤ映像を映像表示装置２に出力することで、映像表示装置２ではＱＦＨＤ映像が表示中であるものとする（Ｓ３０）。
【００３４】
次いで、制御部１３０は、映像入力部１２０の検出結果をもとに、ＱＦＨＤ映像を受信している映像受信部において、映像変更の割り込み発生あるいはケーブルが抜けたか否かを判定する（Ｓ３１）。映像変更の割り込み発生あるいはケーブルの抜けがない場合（Ｓ３１：ＮＯ）は処理の開始へリターンする。したがって、ＱＦＨＤ映像を受信している映像受信部において、映像変更の割り込み発生あるいはケーブルの抜けがない場合は、そのＱＦＨＤ映像を映像表示装置２へ出力する処理が継続されることとなる。
【００３５】
Ｓ３１において、ケーブルの抜けがある場合、映像入力部１２０から制御部１３０に対して、ＱＦＨＤ映像を受信している映像受信部においてケーブルが抜かれていることが通知される（Ｓ３２）。この通知を受けて、制御部１３０は、映像出力部１４０に対し、ＱＦＨＤ映像が表示されている部分に対して単色画像（例えば黒画像）に切り替える制御を行う（Ｓ３３）。具体的には、制御部１３０は、ＱＦＨＤ映像の全面を単色画像で上書きする命令を映像出力部１４０に対して出力する。次いで、映像出力部１４０は、制御部１３０から命令された箇所、すなわちＱＦＨＤ映像の全面を単色画像で上書きして映像表示装置２に出力し（Ｓ３４）、処理の開始へリターンする。
【００３６】
Ｓ３１において、割り込み発生がある場合、映像入力部１２０から制御部１３０に対して、ＱＦＨＤ映像を受信している映像受信部において映像変更の割り込み信号が出力されてることが通知される（Ｓ３５）。この通知を受けて、制御部１３０は、映像出力部１４０に対し、ＱＦＨＤ映像が表示されている部分に対して単色画像（例えば黒画像）に切り替える制御を行う（Ｓ３６）。次いで、映像出力部１４０は、制御部１３０から命令された箇所、すなわちＱＦＨＤ映像の全面を単色画像で上書きして映像表示装置２に出力し（Ｓ３７）、処理の開始へリターンする。
【００３７】
このように、フルＨＤを基準とした場合に複数画面相当の画面サイズとなるＱＦＨＤ映像が映像受信部１１０〜１１３のいずれか１つより入力され、そのＱＦＨＤサイズの映像をそのまま映像表示装置２へ出力している際に、ケーブル抜けによりＱＦＨＤ映像が途絶えた場合、あるいは映像変更があった場合に単色画像でＱＦＨＤ映像を上書きすることで、映像の途絶えや映像変更に伴って生じる映像乱れを防止できる。
【００３８】
［第４の実施形態］
次に、第４の実施形態として、映像受信部１１０〜１１３より入力された複数の映像を継ぎ合わせた一つの映像を出力する際に、いずれかの映像受信部１１０〜１１３においてケーブル抜けにより映像が途絶えた場合、あるいは映像変更があった場合に、映像の途絶え又は変更の無い映像受信部１１０〜１１３からの映像に書き換えることで、映像乱れを防止する場合を例示する。なお、映像出力装置１の構成などの第１の実施形態と同じ部分については説明を省略し、以下では、制御部１３０の制御の下で実行される、第４の実施形態にかかる映像出力装置１の動作について説明する。
【００３９】
図６は、第４の実施形態にかかる映像出力装置１の動作の一例を示すフローチャートである。この図６に示すフローチャートは、図２のフローチャートと同様、映像出力部１４０が映像受信部１１０〜１１３より入力された複数の映像を継ぎ合わせて一つの映像を生成し、その生成した映像を映像表示装置２へ出力している際に、制御部１３０により実行される動作を示している。
【００４０】
図６に示すように、処理が開始されると、制御部１３０は、映像入力部１２０の検出結果をもとに、映像受信部１１０〜１１３の中のいずれかで、映像変更の割り込み信号が有効となるか、あるいはケーブルが抜けたか否かを判定する（Ｓ４１）。映像変更の割り込み信号が有効でなく、ケーブルの抜けがない場合（Ｓ４１：ＮＯ）は処理の開始へリターンする。したがって、映像受信部１１０〜１１３の中のいずれかで、映像変更がなく、ケーブルの抜けによる途絶えがない場合は、映像受信部１１０〜１１３より入力された複数の映像を継ぎ合わせて一つの映像を生成し、その生成した映像を映像表示装置２へ出力する処理が継続されることとなる。
【００４１】
Ｓ４１において、ケーブルの抜けがある場合、映像入力部１２０から制御部１３０に対して、映像受信部１１０〜１１３の中でケーブルの抜かれている箇所が通知される（Ｓ４２）。次いで、映像入力部１２０は、映像受信部１１０〜１１３の中で、ケーブルの抜かれていない有効な映像が入力されている箇所を検知し、その検知した箇所を制御部１３０に通知する（Ｓ４３）。具体的には、映像受信部１１０〜１１３の中で、ケーブル抜け検知信号（例えばＨＤＭＩの場合はＨｏｔ  Ｐｌｕｇ  Ｄｅｔｅｃｔ信号に相当）の値の変化のない箇所を制御部１３０に通知する。
【００４２】
このＳ４２、Ｓ４３による映像入力部１２０からの通知を受けて、制御部１３０は、映像出力部１４０に対し、映像受信部１１０〜１１３の中でケーブルの抜かれている箇所に対して、ケーブルの抜かれていない有効な映像で上書きする制御を行う（Ｓ４４）。具体的には、制御部１３０は、映像受信部１１０〜１１３より入力された複数の映像を継ぎ合わせた一つの映像の中の、ケーブルの抜かれている映像受信部からの映像部分について、ケーブルの抜かれていない映像受信部からの映像で上書きする命令を映像出力部１４０に対して出力する。
【００４３】
Ｓ３１において、割り込み信号が有効であり、割り込み発生がある場合、映像入力部１２０から制御部１３０に対して、映像受信部１１０〜１１３の中で割り込み信号が出力された箇所（映像変更のある箇所）が通知される（Ｓ４５）。次いで、映像入力部１２０は、映像受信部１１０〜１１３の中で、割り込み信号が出力されていない有効な映像が入力されている箇所（映像変更のない箇所）を検知し、その検知した箇所を制御部１３０に通知する（Ｓ４６）。具体的には、映像受信部１１０〜１１３の中で、割り込み信号が有効でない箇所を制御部１３０に通知する。
【００４４】
このＳ４５、Ｓ４６による映像入力部１２０からの通知を受けて、制御部１３０は、映像出力部１４０に対し、映像受信部１１０〜１１３の中で割り込み信号が出力された箇所に対して、割り込み信号が出力されていない有効な映像で上書きする制御を行う（Ｓ４７）。具体的には、制御部１３０は、映像受信部１１０〜１１３より入力された複数の映像を継ぎ合わせた一つの映像の中の、割り込み信号が出力されている映像受信部からの映像部分について、割り込み信号が出力されていない映像受信部からの映像で上書きする命令を映像出力部１４０に対して出力する。
【００４５】
次いで、映像出力部１４０は、映像受信部１１０〜１１３より入力された複数の映像を継ぎ合わせた一つの映像の中の、制御部１３０から命令され箇所、すなわちケーブルの抜け、又は割り込み信号による映像変更のある映像受信部からの映像部分について、ケーブルの抜け、又は割り込み信号による映像変更のない映像受信部からの有効な映像で上書きして映像表示装置２に出力し（Ｓ４８）、処理の開始へリターンする。
【００４６】
図７は、映像の書き換えを例示する概念図である。図７に示すように、映像受信部１１３のケーブルが抜かれた場合、出力映像Ｇにおける映像Ｇ１、Ｇ２、Ｇ３はそのままに、映像受信部１１３からの映像Ｇ４をケーブルの抜けのない映像受信部１１２からの映像Ｇ３で上書きすることで、出力映像Ｇにおいて映像Ｇ４部分に生じる映像乱れ（例えば映像の途絶に伴うノイズ映像の表示）を防止できる。
【００４７】
［第５の実施形態］
次に、第５の実施形態として、映像受信部１１０〜１１３より入力された複数の映像を継ぎ合わせた一つの映像を出力する際に、いずれかの映像受信部１１０〜１１３においてケーブル抜けにより映像が途絶えた場合、あるいは映像変更があった場合、その映像の領域に、隣接する映像を移動させることで、映像乱れを防止する場合を例示する。なお、映像出力装置１の構成などの第１の実施形態と同じ部分については説明を省略し、以下では、制御部１３０の制御の下で実行される、第５の実施形態にかかる映像出力装置１の動作について説明する。
【００４８】
図８は、第５の実施形態にかかる映像出力装置１の動作の一例を示すフローチャートである。この図８に示すフローチャートは、図２のフローチャートと同様、映像出力部１４０が映像受信部１１０〜１１３より入力された複数の映像を継ぎ合わせて一つの映像を生成し、その生成した映像を映像表示装置２へ出力している際に、制御部１３０により実行される動作を示している。また、図８に示すように、Ｓ４１〜Ｓ４３、Ｓ４１〜Ｓ４６に至る処理は前述した第４の実施形態と同じである。
【００４９】
図８に示すように、Ｓ４２、Ｓ４３による映像入力部１２０からの通知を受けて、制御部１３０は、映像出力部１４０に対し、映像受信部１１０〜１１３の中でケーブルの抜かれている箇所と隣接する有効な映像を、映像受信部１１０〜１１３の中でケーブルの抜かれている箇所側（ケーブルの抜かれた映像と、その映像と隣接する有効な映像との領域における中心）に移動して映像表示装置２に表示させる制御を行う（Ｓ４４ａ）。具体的には、制御部１３０は、映像受信部１１０〜１１３より入力された複数の映像を継ぎ合わせた一つの映像の中の、ケーブルの抜かれている映像受信部からの映像部分と、その映像と隣接する有効な映像の部分とを合わせた領域の中心に、有効な映像を移動させる命令を映像出力部１４０に対して出力する。
【００５０】
また、Ｓ４５、Ｓ４６による映像入力部１２０からの通知を受けて、制御部１３０は、映像出力部１４０に対し、映像受信部１１０〜１１３の中で割り込み信号が出力された箇所と隣接する有効な映像を、映像受信部１１０〜１１３の中で割り込み信号が出力された箇所側（割り込み信号が出力された映像と、その映像と隣接する有効な映像との領域における中心）に移動して映像表示装置２に表示させる制御を行う（Ｓ４７ａ）。具体的には、制御部１３０は、映像受信部１１０〜１１３より入力された複数の映像を継ぎ合わせた一つの映像の中の、割り込み信号が出力されている映像受信部からの映像部分と、その映像と隣接する有効な映像の部分とを合わせた領域の中心に、有効な映像を移動させる命令を映像出力部１４０に対して出力する。
【００５１】
次いで、映像出力部１４０は、映像受信部１１０〜１１３より入力された複数の映像を継ぎ合わせた一つの映像の中の、制御部１３０から命令された箇所については、Ｓ４４ａ、Ｓ４７ａからの命令に従って有効な映像を移動させた新しい映像を生成し、生成した映像で上書きして映像表示装置２に出力し（Ｓ４８ａ）、処理の開始へリターンする。
【００５２】
図９、１０は、映像の書き換えを例示する概念図である。図９に示すように、映像受信部１１３のケーブルが抜かれた場合、映像受信部１１３からの映像Ｇ４と隣接する映像Ｇ２又は映像Ｇ３を、映像Ｇ４側に移動させてよい。具体的には、出力映像Ｇにおける、映像Ｇ３及び映像Ｇ４の領域の中心に映像Ｇ３を移動させてよい（図９の右上）。また、出力映像Ｇにおける、映像Ｇ２及び映像Ｇ４の領域の中心に映像Ｇ２を移動させてよい（図９の右下）。
【００５３】
また、図１０に示すように、映像受信部１１１、１１２、１１３のケーブルが抜かれた場合は、映像受信部１１１、１１２、１１３からの映像Ｇ２、Ｇ３、Ｇ４のいずれかと隣接する映像Ｇ１を、映像Ｇ２、Ｇ３、Ｇ４側に移動させてよい。具体的には、出力映像Ｇにおける、映像Ｇ１、Ｇ２、Ｇ３、Ｇ４の領域の中心に映像Ｇ１を移動させてよい。
【００５４】
［第６の実施形態］
次に、第６の実施形態として、映像受信部１１０〜１１３より入力された複数の映像を継ぎ合わせた一つの映像を出力する際に、いずれかの映像受信部１１０〜１１３においてケーブル抜けにより映像が途絶えた場合、あるいは映像変更があった場合、その映像の領域を含む領域に、途絶えや変更の無い映像を拡大した映像を上書きすることで、映像乱れを防止する場合を例示する。なお、第１の実施形態と同じ部分については同じ符号を付して説明を省略する。
【００５５】
図１１は、第６の実施形態にかかる映像出力装置１ａの一例を示すブロック図である。図１１に示すように、映像出力装置１ａは、入力された映像を拡大するスケーリング機能を実現するスケーラ１４１を備えた映像出力部１４０ａを有する。したがって、映像出力装置１ａは、制御部１３０の制御のもと、映像受信部１１０〜１１３より入力される映像をスケーリングして映像表示装置２に出力することが可能である。
【００５６】
図１２は、第６の実施形態にかかる映像出力装置１ａの動作の一例を示すフローチャートである。この図１２に示すフローチャートは、図２のフローチャートと同様、映像出力部１４０ａが映像受信部１１０〜１１３より入力された複数の映像を継ぎ合わせて一つの映像を生成し、その生成した映像を映像表示装置２へ出力している際に、制御部１３０により実行される動作を示している。また、図１２に示すように、Ｓ４１〜Ｓ４３、Ｓ４１〜Ｓ４６に至る処理は前述した第４の実施形態と同じである。
【００５７】
図１２に示すように、Ｓ４２、Ｓ４３による映像入力部１２０からの通知を受けて、制御部１３０は、映像出力部１４０ａに対し、映像受信部１１０〜１１３の中でケーブルの抜かれている箇所の映像と隣接する有効な映像がスケーリング（拡大）可能な場合に、その有効な映像をスケーリングして映像表示装置２に表示させる制御を行う（Ｓ４４ｂ）。
【００５８】
具体的には、制御部１３０は、出力映像Ｇにおける、映像受信部１１０〜１１３の中でケーブルの抜かれている箇所の映像と隣接する有効な映像と、映像受信部１１０〜１１３の中でケーブルの抜かれている箇所の映像とを含む領域内に、有効な映像の縦横比を保持した状態で拡大した映像が収まる場合に、スケーリング可能と判定する。そして、制御部１３０は、スケーリング可能と判定した場合、上述した領域に収まる最大の拡大倍率で有効な映像を拡大させる命令を映像出力部１４０に対して出力する。
【００５９】
例えば、図９の場合（映像受信部１１３のケーブルが抜かれた場合）は、映像Ｇ４（ケーブルの抜かれた箇所の映像）と映像Ｇ３（有効な映像）との領域において、映像Ｇ３の縦横比を保持した状態で拡大した映像が収まらないため、スケーリング可能として判定されない。同様に、映像Ｇ４と隣接する映像Ｇ２の場合も、映像Ｇ２の縦横比を保持した状態で拡大した映像が収まらないため、スケーリング可能として判定されない。これに対し、図１０の場合（映像受信部１１１、１１２、１１３のケーブルが抜かれた場合）は、映像Ｇ２、Ｇ３、Ｇ４（ケーブルの抜かれた箇所の映像）と映像Ｇ１（有効な映像）との領域において、映像Ｇ１の縦横比を保持した状態で拡大した映像が収まるため、スケーリング可能として判定される。
【００６０】
また、Ｓ４５、Ｓ４６による映像入力部１２０からの通知を受けて、制御部１３０は、映像出力部１４０ａに対して、映像受信部１１０〜１１３の中で割り込み信号が出力された箇所の映像と隣接する有効な映像がスケーリング可能な場合に、その有効な映像をスケーリングして映像表示装置２に表示させる制御を行う（Ｓ４７ｂ）。
【００６１】
具体的には、制御部１３０は、出力映像Ｇにおける、映像受信部１１０〜１１３の中で割り込み信号が出力された箇所の映像と隣接する有効な映像と、映像受信部１１０〜１１３の中で割り込み信号が出力された箇所の映像とを含む領域内に、有効な映像の縦横比を保持した状態で拡大した映像が収まる場合に、スケーリング可能と判定する。そして、制御部１３０は、スケーリング可能と判定した場合、上述した領域に収まる最大の拡大倍率で有効な映像を拡大させる命令を映像出力部１４０に対して出力する。
【００６２】
例えば、図９の場合（映像受信部１１３で割り込み信号が出力された場合）は、映像Ｇ４（割り込み信号が出力された箇所の映像）と映像Ｇ３（有効な映像）との領域において、映像Ｇ３の縦横比を保持した状態で拡大した映像が収まらないため、スケーリング可能として判定されない。同様に、映像Ｇ４と隣接する映像Ｇ２の場合も、映像Ｇ２の縦横比を保持した状態で拡大した映像が収まらないため、スケーリング可能として判定されない。これに対し、図１０の場合（映像受信部１１１、１１２、１１３で割り込み信号が出力された場合）は、映像Ｇ２、Ｇ３、Ｇ４（割り込み信号が出力された箇所の映像）と映像Ｇ１（有効な映像）との領域において、映像Ｇ１の縦横比を保持した状態で拡大した映像が収まるため、スケーリング可能として判定される。
【００６３】
次いで、映像出力部１４０は、映像受信部１１０〜１１３より入力された複数の映像を継ぎ合わせた一つの映像の中の、制御部１３０から命令された箇所については、Ｓ４４ｂ、Ｓ４７ｂからの命令に従って有効な映像をスケーリングさせた新しい映像を生成し、生成した映像で上書きして映像表示装置２に出力し（Ｓ４８ｂ）、処理の開始へリターンする。
【００６４】
図１３は、映像の書き換えを例示する概念図である。図９に示すように、映像受信部１１３のケーブルが抜かれた場合、映像受信部１１３からの映像Ｇ４と隣接する映像Ｇ２又はＧ３を、映像Ｇ４側に移動させてよい。具体的には、出力映像Ｇにおける、映像Ｇ３及び映像Ｇ４の領域の中心に映像Ｇ３を移動させてよい（図９の右上）。また、出力映像Ｇにおける、映像Ｇ２及び映像Ｇ４の領域の中心に映像Ｇ２を移動させてよい（図９の右下）。
【００６５】
また、図１３に示すように、映像受信部１１１、１１２、１１３のケーブルが抜かれた場合は、映像受信部１１１、１１２、１１３からの映像Ｇ２、Ｇ３、Ｇ４のいずれかと隣接する映像Ｇ１をスケーリング（拡大）して映像表示装置２に出力させてよい。具体的には、ケーブルが抜かれた映像受信部１１１、１１２、１１３からの映像Ｇ２、Ｇ３、Ｇ４と、映像Ｇ１との領域、すなわち出力映像Ｇ全体の領域に、映像Ｇ１を拡大させてよい。
【００６６】
なお、上述した第１の実施形態〜第６の実施形態は、単独で実施してもよいし、第１の実施形態〜第６の実施形態の少なくとも２つを組み合わせて実施してもよい。
【００６７】
ただし、制御部１３０は、映像受信部１１０〜１１３より入力された複数の映像が互いに同期した映像である場合は、映像入力部１２０の検出結果をもとに、複数の映像を継ぎ合わせた一つの映像の中で、途絶え又は変更の無い映像をそのままに、途絶え又は変更のある映像を単色映像に書き換えさせるものとする。より具体的には、制御部１３０は、映像受信部１１０〜１１３より複数の映像とともに入力される制御信号をもとに、互いの映像の解像度、色情報、フレームレート等の映像フォーマットと、同期信号とが同一であるか否かを判定する。映像フォーマットと、同期信号とが同一である場合は、映像受信部１１０〜１１３より入力される複数の映像が互いに同期した映像と判定する。そして、この判定結果をもとに、複数の映像が互いに同期した映像である場合は、図２又は図４に例示したフローチャートに従った処理を実行する。
【００６８】
このように、映像受信部１１０〜１１３より入力された複数の映像が互いに同期した映像である場合は、映像Ｇ１〜Ｇ４を継ぎ合わせた一つの映像で一枚の映像を再現している（映像Ｇ１〜Ｇ４の各々がデータ表示や風景表示などの互いに独立した映像ではなく、例えば一枚の風景表示を行う映像である）ことから、有効な映像の移動やスケーリングを行うことなく、途絶え又は変更のある映像を単色映像に書き換えることで、出力映像Ｇのレイアウトが乱れることを防止できる。
【００６９】
なお、本実施形態の映像出力装置１、１ａで実行されるプログラムは、ＲＯＭ等に予め組み込まれて提供される。本実施形態の映像出力装置１、１ａで実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００７０】
さらに、本実施形態の映像出力装置１、１ａで実行されるプログラムを、インターネット等のネットワークに接続されたコンピュータ上に格納し、ネットワーク経由でダウンロードさせることにより提供するように構成しても良い。また、本実施形態の映像出力装置１、１ａで実行されるプログラムをインターネット等のネットワーク経由で提供または配布するように構成しても良い。
【００７１】
本実施形態の映像出力装置１、１ａで実行されるプログラムは、上述した機能構成を含むモジュール構成となっており、実際のハードウェアとしてはＣＰＵ（プロセッサ）が上記ＲＯＭからプログラムを読み出して実行することにより上述した機能構成が主記憶装置上にロードされ、生成されるようになっている。
【００７２】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。  
【符号の説明】
【００７３】
１、１ａ…映像出力装置、２…映像表示装置、１１０〜１１３…映像受信部、１２０…映像入力部、１３０…制御部、１４０、１４０ａ…映像出力部、１４１…スケーラ、Ｇ…出力映像、Ｇ１〜Ｇ４…映像
【図１】
2013207770.tif 000003
【図２】
2013207770.tif 000004
【図３】
2013207770.tif 000005
【図４】
2013207770.tif 000006
【図５】
2013207770.tif 000007
【図６】
2013207770.tif 000008
【図７】
2013207770.tif 000009
【図８】
2013207770.tif 000010
【図９】
2013207770.tif 000011
【図１０】
2013207770.tif 000012
【図１１】
2013207770.tif 000013
【図１２】
2013207770.tif 000014
【図１３】
2013207770.tif 000015